(57)【要約】【課題】ユーザーが快適に操作部を操作することができるバリカンを提供する。【解決手段】バリカン１は、固定刃２１、可動刃２２、これらが取り付けられるボディー１０、および、ダイヤル６０を有する。ダイヤル６０に形成された案内溝６１が、案内溝６１に挿入されたボス７１を移動させることにより、可動刃２２が固定刃２１に対してバリカン１のボディー１０の長手方向にスライドする。スライド機構は、可動刃２２を固定刃２１に押し付ける第１のばね２７と、第１のばね２７とは反対方向の力をボス７１に与える第２のばね９０とを有する。第１のばね２７および第２のばね９０は、案内溝６１とボス７１との相対的な位置の変化にともない第１のばね２７からボス７１に与えられる力と第２のばね９０からボス７１に与えられる力との大小関係が入れ替わるように第１のばね２７の特性および第２のばね９０の特性が設定されている。【選択図】図５
2015195869.tif 000002
【特許請求の範囲】
【請求項１】
固定刃と、
前記固定刃に対してスライドする可動刃と、
前記固定刃および前記可動刃が取り付けられるボディーと、
前記ボディーに配置され、案内溝が形成された操作部と、
前記可動刃が取り付けられ、前記固定刃に対して前記ボディーの長手方向および短手方向にスライドするスライダーと、前記可動刃が前記固定刃に押し付けられるように、かつ、前記スライダーが前記ボディー側に移動するように前記スライダーに力を与える第１のばねと、前記案内溝に挿入されるボスを有し、前記ボディーに対して前記ボディーの長手方向にスライドするリンクと、前記リンクが前記スライダー側に移動するように前記リンクに力を与える第２のばねとを有するスライド機構と
を有し、
前記第１のばねは、前記案内溝が延びる方向に沿う第１の側面および第２の側面のうちの一方に前記ボスを押す力を前記ボスに与え、
前記第２のばねは、前記第１のばねが前記ボスを押す方向とは反対の方向に前記ボスを押す力を前記ボスに与え、
前記操作部が操作されることにより前記案内溝と前記ボスとの相対的な位置が変化し、この相対的な位置の変化により前記リンクが前記ボディーの長手方向に移動し、このリンクの移動により前記スライダーおよび前記可動刃が前記固定刃に対して前記ボディーの長手方向にスライドし、
前記案内溝と前記ボスとの相対的な位置の変化にともない前記第１のばねから前記ボスに与えられる力と前記第２のばねから前記ボスに与えられる力との大小関係が入れ替わるように前記第１のばねの特性および前記第２のばねの特性が設定されている
バリカン。
【請求項２】
前記操作部であるダイヤルに、渦巻き形状を有する前記案内溝が形成され、
前記スライド機構は、
前記ボディーに対して回転できるように前記ボディーに支持され、腕、および、前記リンクと接触する軸を有し、前記スライダーから受ける力と前記リンクから受ける力との関係に応じて前記ボディーに対して回転する連結レバーと、
前記ボディーに対して回転できるように前記ボディーに支持され、前記連結レバーの腕と接触する腕を有し、前記スライダーに連結された前記第１のばねから受ける力と前記連結レバーから受ける力との関係に応じて前記ボディーに対して回転することにより、前記スライダーおよび前記可動刃が前記固定刃に対して前記ボディーの長手方向にスライドする刃レバーと
をさらに有する
請求項１に記載のバリカン。
【請求項３】
前記案内溝と前記ボスとの相対的な位置が、前記第１のばねから前記ボスに与えられる力が前記第２のばねから前記ボスに与えられる力よりも大きくなる位置に設定されているとき、前記ボスが前記第１の側面および前記第２の側面のうちの前記スライダーとは反対側に存在する側面である前記第１の側面に押し付けられ、
前記案内溝と前記ボスとの相対的な位置が、前記第２のばねから前記ボスに与えられる力が前記第１のばねから前記ボスに与えられる力よりも大きくなる位置に設定されているとき、前記ボスが前記第１の側面および前記第２の側面のうちの前記スライダー側に存在する側面である前記第２の側面に押し付けられる
請求項１または２に記載のバリカン。
【請求項４】
前記案内溝と前記ボスとの相対的な位置が段階的に変化するように、前記操作部の操作位置を固定するための複数の固定位置を有する保持機構をさらに有し、
前記複数の固定位置は、前記案内溝と前記ボスとの相対的な位置の一方の限界である第１の限界固定位置、前記案内溝と前記ボスとの相対的な位置の他方の限界である第２の限界固定位置、および、前記第１の限界固定位置と前記第２の限界固定位置との間に存在する１つの中間固定位置または複数の中間固定位置を含み、
前記案内溝と前記ボスとの相対的な位置が前記第１の限界固定位置に設定されているときに、前記第１のばねから前記ボスに与えられる力、および、前記第２のばねから前記ボスに与えられる力の大小関係と、
前記案内溝と前記ボスとの相対的な位置が前記第２の限界固定位置に設定されているときに、前記第１のばねから前記ボスに与えられる力、および、前記第２のばねから前記ボスに与えられる力の大小関係と
が互いに異なる
請求項１〜３のいずれか一項に記載のバリカン。
【請求項５】
前記案内溝と前記ボスとの相対的な位置が前記１つの中間固定位置に変更される過程、または、前記案内溝と前記ボスとの相対的な位置が前記複数の中間固定位置のいずれか１つに変更される過程において、前記第１のばねから前記ボスに与えられる力、および、前記第２のばねから前記ボスに与えられる力の大小関係が反転するように前記第１のばねの特性および前記第２のばねの特性が設定されている
請求項４に記載のバリカン。
【請求項６】
前記案内溝と前記ボスとの相対的な位置が前記第２の限界固定位置から前記第１の限界固定位置に向かうにつれて前記バリカンの刈り高さが高くなり、前記案内溝と前記ボスとの相対的な位置が前記第１の限界固定位置から前記第２の限界固定位置に向かうにつれて前記バリカンの刈り高さが低くなり、前記案内溝と前記ボスとの相対的な位置が前記第１の限界固定位置に固定されているとき、前記第１のばねから前記ボスに与えられる力が前記第２のばねから前記ボスに与えられる力よりも大きく、前記案内溝と前記ボスとの相対的な位置が前記第２の限界固定位置に固定されているとき、前記第２のばねから前記ボスに与えられる力が前記第１のばねから前記ボスに与えられる力よりも大きい
請求項４または５に記載のバリカン。
【請求項７】
前記案内溝の第１の側面と前記ボスとの間、および、前記案内溝の第２の側面と前記ボスとの間のそれぞれに実質的にクリアランスが形成されないように前記案内溝の幅および前記ボスの径が設定されている
請求項１〜６のいずれか一項に記載のバリカン。
【請求項８】
前記ボスが押し付けられる平面である第１の支持面が前記案内溝の第１の側面における複数の箇所に形成され、
前記案内溝と前記ボスとの相対的な位置が前記保持機構により固定されているときに、前記ボスが前記第１の支持面に与える力の方向が前記第１の支持面と直交するように、または、おおよそ直交するように、前記支持面が形成されている
請求項４〜６のいずれか一項、または、請求項４〜６のいずれか一項を引用する請求項７に記載のバリカン。
【請求項９】
前記ボスが押し付けられる平面である第２の支持面が前記案内溝の第２の側面における複数の箇所に形成され、
前記案内溝と前記ボスとの相対的な位置が前記保持機構により固定されているときに、前記ボスが前記第２の支持面に与える力の方向が前記第２の支持面と直交するように、または、おおよそ直交するように、前記支持面が形成されている
請求項４〜６のいずれか一項、または、請求項４〜６のいずれか一項を引用する請求項７、または、請求項８に記載のバリカン。
【発明の詳細な説明】
【技術分野】
【０００１】
本発明は、刈り高さを調整できるバリカンに関する。
【背景技術】
【０００２】
従来のバリカンの一形態によれば、ボディーに取り付けられたダイヤルを回転させることにより、バリカンの刈り高さが変化する。特許文献１は、このようなバリカンの一例を開示している。
【０００３】
このバリカンは、ボディーに取り付けられる可動刃がボディーに取り付けられる固定刃に対してボディーの短手方向にスライドすることにより毛を刈ることができる。また、可動刃が固定刃に対してボディーの長手方向にスライドすることにより、刈り高さを変更することができる。
【０００４】
ダイヤルには、渦巻き形状を有する案内溝が形成されている。ダイヤルと可動刃とは、可動刃をボディーの長手方向にスライドさせるスライド機構により接続されている。スライド機構は、案内溝に嵌め込まれるボスを有するリンクを含む。リンクと可動刃との間には、可動刃を固定刃に押し付け、かつ、可動刃がボディー側に移動するように可動刃に力を与えている第１のばねが取り付けられている。リンクには、可動刃がボディーから離れる側に移動するようにリンクに力を与える第２のばねが取り付けられている。
【０００５】
ダイヤルが回転するとき、案内溝がボスに対して移動する。このため、ボスおよびリンクが案内溝に沿ってボディーの長手方向にスライドする。これにより、可動刃がリンクからの力により固定刃に対してボディーの長手方向にスライドする。
【先行技術文献】
【特許文献】
【０００６】
【特許文献１】特許第４０４６０９８号公報
【発明の概要】
【発明が解決しようとする課題】
【０００７】
特許文献１のバリカンによれば、ダイヤルが反時計回りに回転するときに第１のばねの力に抗するようにスライダーが押されるため、ダイヤルに大きな反力が作用する。一方、ダイヤルが時計回りに回転するときに第１のばねが復元しようとする方向にスライダーが押されるため、ユーザーによりダイヤルに加えられる力が比較的小さくてもダイヤルが回転する。このように、特許文献１のバリカンによれば、ダイヤルを反時計回りに回転させるときにダイヤルに加える力と、ダイヤルを時計回りに回転させるときにダイヤルに加える力との差が大きい。このため、操作方向に応じて操作のために必要な力が大きく異なることに対して違和感を覚えるおそれがある。また、ダイヤルを反時計回りに回転させるときにダイヤルに大きな反力が作用するため、ユーザーがダイヤルを反時計回りに回転させるときに負担を感じるおそれがある。なお、渦巻き形状を有する案内溝により刈り高さを変更するバリカンについて説明したが、ボディーの短手方向に延びる案内溝を有する操作部により刈り高さを変更するバリカンについても同様の問題が生じ得る。
【０００８】
本発明の目的は、ユーザーが快適に操作部を操作することができるバリカンを提供することである。
【課題を解決するための手段】
【０００９】
本バリカンの独立した一形態は、固定刃と、前記固定刃に対してスライドする可動刃と、前記固定刃および前記可動刃が取り付けられるボディーと、前記ボディーに配置され、案内溝が形成された操作部と、前記可動刃が取り付けられ、前記固定刃に対して前記ボディーの長手方向および短手方向にスライドするスライダーと、前記可動刃が前記固定刃に押し付けられるように、かつ、前記スライダーが前記ボディー側に移動するように前記スライダーに力を与える第１のばねと、前記案内溝に挿入されるボスを有し、前記ボディーに対して前記ボディーの長手方向にスライドするリンクと、前記リンクが前記スライダー側に移動するように前記リンクに力を与える第２のばねとを有するスライド機構とを有し、前記第１のばねは、前記案内溝が延びる方向に沿う第１の側面および第２の側面のうちの一方に前記ボスを押す力を前記ボスに与え、前記第２のばねは、前記第１のばねが前記ボスを押す方向とは反対の方向に前記ボスを押す力を前記ボスに与え、前記操作部が操作されることにより前記案内溝と前記ボスとの相対的な位置が変化し、この相対的な位置の変化により前記リンクが前記ボディーの長手方向に移動し、このリンクの移動により前記スライダーおよび前記可動刃が前記固定刃に対して前記ボディーの長手方向にスライドし、前記案内溝と前記ボスとの相対的な位置の変化にともない前記第１のばねから前記ボスに与えられる力と前記第２のばねから前記ボスに与えられる力との大小関係が入れ替わるように前記第１のばねの特性および前記第２のばねの特性が設定されている。
【発明の効果】
【００１０】
本バリカンは、ユーザーが快適に操作部を操作することができる。
【図面の簡単な説明】
【００１１】
【図１】実施形態のバリカンの正面図。
【図２】実施形態のダイヤル配置部の正面図。
【図３】実施形態の刃ブロックの斜視図。
【図４】実施形態のダイヤルの背面図。
【図５】実施形態のダイヤルの回転位置が第１の限界固定位置にあるときのバリカンの部分断面図。
【図６】実施形態のダイヤルの回転位置が第１の限界固定位置にあるときのダイヤルおよび刃ブロックの斜視図。
【図７】実施形態のダイヤルの回転位置が第３の中間固定位置にあるときのバリカンの部分断面図。
【図８】実施形態のダイヤルの回転位置が第３の中間固定位置にあるときのダイヤルおよび刃ブロックの斜視図。
【図９】実施形態のダイヤルの回転位置が第２の限界固定位置にあるときのバリカンの部分断面図。
【図１０】実施形態のダイヤルの回転位置が第２の限界固定位置にあるときのダイヤルおよび刃ブロックの斜視図。
【図１１】実施形態のボスと案内溝との関係を示す作用図。
【図１２】実施形態のバリカンのダイヤル操作力と比較例のバリカンのダイヤル操作力とを示すグラフ。
【発明を実施するための形態】
【００１２】
（本バリカンが取り得る形態の一例）
〔１〕本バリカンの独立した一形態によれば、固定刃と、前記固定刃に対してスライドする可動刃と、前記固定刃および前記可動刃が取り付けられるボディーと、前記ボディーに配置され、案内溝が形成された操作部と、前記可動刃が取り付けられ、前記固定刃に対して前記ボディーの長手方向および短手方向にスライドするスライダーと、前記可動刃が前記固定刃に押し付けられるように、かつ、前記スライダーが前記ボディー側に移動するように前記スライダーに力を与える第１のばねと、前記案内溝に挿入されるボスを有し、前記ボディーに対して前記ボディーの長手方向にスライドするリンクと、前記リンクが前記スライダー側に移動するように前記リンクに力を与える第２のばねとを有するスライド機構とを有し、前記第１のばねは、前記案内溝が延びる方向に沿う第１の側面および第２の側面のうちの一方に前記ボスを押す力を前記ボスに与え、前記第２のばねは、前記第１のばねが前記ボスを押す方向とは反対の方向に前記ボスを押す力を前記ボスに与え、前記操作部が操作されることにより前記案内溝と前記ボスとの相対的な位置が変化し、この相対的な位置の変化により前記リンクが前記ボディーの長手方向に移動し、このリンクの移動により前記スライダーおよび前記可動刃が前記固定刃に対して前記ボディーの長手方向にスライドし、前記案内溝と前記ボスとの相対的な位置の変化にともない前記第１のばねから前記ボスに与えられる力と前記第２のばねから前記ボスに与えられる力との大小関係が入れ替わるように前記第１のばねの特性および前記第２のばねの特性が設定されている。
【００１３】
本バリカンによれば、第１のばねからボスに与えられる力と第２のばねからボスに与えられる力との大小関係が入れ替わらない場合と比較して、ユーザーが案内溝とボスとの相対的な位置を一方から他方に変更するときに操作部にかける力と、案内溝とボスとの相対的な位置を他方から一方に変更するときに操作部にかける力との差が小さくなる。このため、ユーザーが快適に操作部を操作することができる。このため、ユーザーがボスと案内溝との相対的な位置を変更するときに負担を感じるおそれを低減できる。このため、ユーザーの違和感が低減できる。
【００１４】
〔２〕前記バリカンに従属する一形態によれば、前記操作部であるダイヤルに、渦巻き形状を有する前記案内溝が形成され、前記スライド機構は、前記ボディーに対して回転できるように前記ボディーに支持され、腕、および、前記リンクと接触する軸を有し、前記スライダーから受ける力と前記リンクから受ける力との関係に応じて前記ボディーに対して回転する連結レバーと、前記ボディーに対して回転できるように前記ボディーに支持され、前記連結レバーの腕と接触する腕を有し、前記スライダーに連結された前記第１のばねから受ける力と前記連結レバーから受ける力との関係に応じて前記ボディーに対して回転することにより、前記スライダーおよび前記可動刃が前記固定刃に対して前記ボディーの長手方向にスライドする刃レバーとをさらに有する。
【００１５】
本バリカンによれば、案内溝が渦巻き形状であるため、案内溝が直線形状を有する場合と比較して、可動刃の固定刃に対するスライドの変化量を大きくすることができる。このため、刈り高さの変化量を大きくすることができる。
【００１６】
〔３〕前記バリカンに従属する一形態によれば、前記案内溝と前記ボスとの相対的な位置が、前記第１のばねから前記ボスに与えられる力が前記第２のばねから前記ボスに与えられる力よりも大きくなる位置に設定されているとき、前記ボスが前記第１の側面および前記第２の側面のうちの前記スライダーとは反対側に存在する側面である前記第１の側面に押し付けられ、前記案内溝と前記ボスとの相対的な位置が、前記第２のばねから前記ボスに与えられる力が前記第１のばねから前記ボスに与えられる力よりも大きくなる位置に設定されているとき、前記ボスが前記第１の側面および前記第２の側面のうちの前記スライダー側に存在する側面である前記第２の側面に押し付けられる。
【００１７】
ボスが第１の側面と第２の側面との間に位置するとき、ボスが振動等により第１の側面と第２の側面との間で移動しやすくなる。このため、可動刃の固定刃に対するボディーの長手方向の位置が変動し、刈り高さが不安定になるおそれがある。本バリカンによれば、ボスが第１の側面または第２の側面に押し付けられるため、ボスが第１の側面と第２の側面との間で移動することを抑制することができる。このため、刈り高さを安定させることができる。
【００１８】
〔４〕前記バリカンに従属する一形態によれば、前記案内溝と前記ボスとの相対的な位置が段階的に変化するように、前記操作部の操作位置を固定するための複数の固定位置を有する保持機構をさらに有し、前記複数の固定位置は、前記案内溝と前記ボスとの相対的な位置の一方の限界である第１の限界固定位置、前記案内溝と前記ボスとの相対的な位置の他方の限界である第２の限界固定位置、および、前記第１の限界固定位置と前記第２の限界固定位置との間に存在する１つの中間固定位置または複数の中間固定位置を含み、前記案内溝と前記ボスとの相対的な位置が前記第１の限界固定位置に設定されているときに、前記第１のばねから前記ボスに与えられる力、および、前記第２のばねから前記ボスに与えられる力の大小関係と、前記案内溝と前記ボスとの相対的な位置が前記第２の限界固定位置に設定されているときに、前記第１のばねから前記ボスに与えられる力、および、前記第２のばねから前記ボスに与えられる力の大小関係とが互いに異なる。
【００１９】
〔５〕前記バリカンに従属する一形態によれば、前記案内溝と前記ボスとの相対的な位置が前記１つの中間固定位置に変更される過程、または、前記案内溝と前記ボスとの相対的な位置が前記複数の中間固定位置のいずれか１つに変更される過程において、前記第１のばねから前記ボスに与えられる力、および、前記第２のばねから前記ボスに与えられる力の大小関係が反転するように前記第１のばねの特性および前記第２のばねの特性が設定されている。
【００２０】
〔６〕前記バリカンに従属する一形態によれば、前記案内溝と前記ボスとの相対的な位置が前記第２の限界固定位置から前記第１の限界固定位置に向かうにつれて前記バリカンの刈り高さが高くなっている。前記案内溝と前記ボスとの相対的な位置が前記第１の限界固定位置から前記第２の限界固定位置に向かうにつれて前記バリカンの刈り高さが低くなっている。前記案内溝と前記ボスとの相対的な位置が前記第１の限界固定位置に固定されているとき、前記第１のばねから前記ボスに与えられる力が前記第２のばねから前記ボスに与えられる力よりも大きい。前記案内溝と前記ボスとの相対的な位置が前記第２の限界固定位置に固定されているとき、前記第２のばねから前記ボスに与えられる力が前記第１のばねから前記ボスに与えられる力よりも大きい。
【００２１】
〔７〕前記バリカンに従属する一形態によれば、前記案内溝の第１の側面と前記ボスとの間、および、前記案内溝の第２の側面と前記ボスとの間のそれぞれに実質的にクリアランスが形成されないように前記案内溝の幅および前記ボスの径が設定されている。
【００２２】
第１のばねからボスに与えられる力と第２のばねからボスに与えられる力とが釣り合うとき、ボスが第１の側面と第２の側面との間で移動しやすくなる。このため、可動刃の固定刃に対するボディーの長手方向の位置が変動し、刈り高さが不安定になるおそれがある。本バリカンによれば、ボスと第１の側面との間、および、ボスと第２の側面との間のそれぞれに実質的にクリアランスが形成されないため、ボスが第１の側面と第２の側面との間で移動することを抑制することができる。このため、第１のばねからボスに与えられる力と第２のばねからボスに与えられる力とが釣り合うときについても、刈り高さを安定させることができる。
【００２３】
〔８〕前記バリカンに従属する一形態によれば、前記ボスが押し付けられる平面である第１の支持面が前記案内溝の第１の側面における複数の箇所に形成されている。前記案内溝と前記ボスとの相対的な位置が前記保持機構により固定されているときに、前記ボスが前記第１の支持面に与える力の方向が前記第１の支持面と直交するように、または、おおよそ直交するように、前記支持面が形成されている。
【００２４】
ボスが押し付けられる第１の側面が、ボスから与えられる力の方向に対して傾斜している場合、ボスと第１の側面とに滑りが生じやすくなる。このため、ボスと案内溝との相対的な位置が変化してしまうおそれがある。本バリカンによれば、ボスが第１の支持面に与える力の方向が第１の支持面と直交しているため、ボスと第１の支持面とに滑りが生じにくい。このため、ボスと案内溝との相対的な位置を適切な位置に保持することができる。
【００２５】
〔９〕前記バリカンに従属する一形態によれば、前記ボスが押し付けられる平面である第２の支持面が前記案内溝の第２の側面における複数の箇所に形成されている。前記案内溝と前記ボスとの相対的な位置が前記保持機構により固定されているときに、前記ボスが前記第２の支持面に与える力の方向が前記第２の支持面と直交するように、または、おおよそ直交するように、前記支持面が形成されている。
【００２６】
ボスが押し付けられる第２の側面が、ボスから与えられる力の方向に対して傾斜している場合、ボスと第２の側面とに滑りが生じやすくなる。このため、ボスと案内溝との相対的な位置が変化してしまうおそれがある。本バリカンによれば、ボスが第２の支持面に与える力の方向が第２の支持面と直交しているため、ボスと第２の支持面とに滑りが生じにくい。このため、ボスと案内溝との相対的な位置を適切な位置に保持することができる。
【００２７】
（実施の形態１）
図１および図２を参照して、バリカン１の構成について説明する。
図１に示されるように、バリカン１は、ボディー１０、刃ブロック２０、駆動部３０（図２参照）、カバー４０、および、刈高調整機構５０を有する。
【００２８】
ボディー１０は、使用者が把持することができる略円筒形状を有し、軸方向が長手方向として形成されている。ボディー１０の表面にはスイッチ１１が取り付けられている。スイッチ１１は、ボディー１０の内部に配置されている駆動部３０の電池（図示略）とモータ（図示略）との接続状態を切り替える。
【００２９】
図２に示されるように、ボディー１０は、先端に刃ブロック２０（図１参照）が着脱可能に取り付けられる刃ブロック配置部１２、および、外周正面にダイヤル６０（図１参照）が配置されるダイヤル配置部１３を有している。ダイヤル配置部１３の固定部１３Ｂには、保持ばね１００が嵌め込まれている。ダイヤル配置部１３の支持軸１３Ａには、ダイヤル６０の穴６０Ｂ（図４参照）が嵌め込まれている。
【００３０】
図１に示されるように、カバー４０は、ダイヤル６０が回転可能にボディー１０に配置された状態において、ダイヤル６０の表面の一部を覆うようにボディー１０に固定されている。このため、カバー４０により、ダイヤル６０がボディー１０から外れることが抑制されている。
【００３１】
図３を参照して、刃ブロック２０の構成について説明する。
刃ブロック２０は、固定刃２１および可動刃２２から構成される一対の刃、支持部２３、スライダー２４、刃レバー２６、および、第１のばね２７を有している。
【００３２】
支持部２３は、板形状を有し、板形状の外周付近に刃ブロック配置部１２（図２参照）の複数の凹部１２Ａ（図２参照）に嵌め込まれる複数の凸部２３Ａが形成されている。支持部２３の先端部には、固定刃２１が固定されている。
【００３３】
スライダー２４は、ボディー１０の長手方向および短手方向にスライド可能に支持部２３に取り付けられている。スライダー２４の先端部には、可動刃２２が固定されている。
刃レバー２６は、支持部２３に対して回転可能に支持部２３に取り付けられている。スライダー２４と刃レバー２６とは、ダブルトーションばねである第１のばね２７により接続されている。
【００３４】
第１のばね２７のコイル部分２７Ａは、刃レバー２６の収容部２６Ｂに取り付けられ、両方の端部２７Ｂは、スライダー２４のうちの支持部２３と接触する側とは反対側の部分に取り付けられている。これにより、第１のばね２７は、固定刃２１および支持部２３に押し付ける力と、固定刃２１に対してボディー１０の長手方向に移動させる力とをスライダー２４を介して可動刃２２に与えている。
【００３５】
スライダー２４には、モータ（図示略）に接続された軸３１（図２参照）を嵌め込むための軸溝２５が形成されている。第１のばね２７が可動刃２２を固定刃２１および支持部２３に押し付ける力は、第１のばね２７が可動刃２２を固定刃２１に対してボディー１０の長手方向に移動させる力よりも小さい。このため、軸３１（図２参照）が動作するとき、可動刃２２が固定刃２１に押し付けられたまま、可動刃２２が固定刃２１に対してボディー１０の短手方向にスライドする。可動刃２２と固定刃２１とが相対的にスライドすることにより、可動刃２２と固定刃２１との間に入り込んだ毛が刈られる。なお、モータは、例えば、軸３１を偏心回転させることにより可動刃２２をボディー１０の短手方向に動作させるもの、または、軸３１を往復動させるリニアモータ等を採用することができる。
【００３６】
図１〜図５を参照して、刈高調整機構５０について説明する。
図２に示されるように、刈高調整機構５０は、ダイヤル６０（図４参照）、ダイヤル６０に連動するリンク７０、および、リンク７０に連動する連結レバー８０、および、リンク７０に取り付けられている第２のばね９０を有する。なお、スライダー２４（図３参照）、刃レバー２６（図３参照）、第１のばね２７（図３参照）、リンク７０、連結レバー８０、および、第２のばね９０により、スライド機構が構成されている。
【００３７】
図４に示されるように、ダイヤル６０は、円盤形状を有する。ダイヤル６０の背面は開放されており、渦巻き形状の案内溝６１、および、案内溝６１と中心を挟んで反対側に背面から突出した保持部６６が形成されている。また、図１に示されるように、ダイヤル６０の表面には、刈り高さを示す目盛６０Ａが数値により記載されている。目盛６０Ａは、そのときの刈り高さに応じた数値のみがカバー４０の窓４１から露出する位置に配置される。
【００３８】
図４に示されるように、案内溝６１には、リンク７０（図２参照）の一端に形成されているボス７１が挿入されている。案内溝６１は、案内溝６１の延びる方向に沿うスライダー２４とは反対側である内周側の第１の側面６２、および、スライダー２４側の外周側の第２の側面６４を有している。
【００３９】
第１の側面６２には、ボス７１を押し付けるための５つの第１の支持面６３が形成されている。５つの第１の支持面６３は、平面形状を有し、ダイヤル６０の中心から半径方向に延びる線と直交している。
【００４０】
第２の側面６４には、ボス７１を押し付けるための５つの第２の支持面６５が形成されている。５つの第２の支持面６５は、平面形状を有し、ダイヤル６０の中心から半径方向に延びる線と直交している。
【００４１】
ボス７１の径は、案内溝６１の幅よりもわずかに小さく設定されている。このため、ボス７１と第１の側面６２との間、および、ボス７１と第２の側面６４との間のそれぞれに実質的にクリアランスが形成されない。
【００４２】
保持部６６は、周方向に沿って形成されており、外周側に複数の凹部６６Ａが形成されている。複数の凹部６６Ａのうちの１つには、固定部１３Ｂ（図２参照）に固定される山形状の保持ばね１００の頂部１０１が嵌め込まれている。保持ばね１００の頂部１０１が凹部６６Ａに嵌め込まれているとき、保持ばね１００の力によりダイヤル６０が回転しにくくなる。このため、ダイヤル６０の回転位置が固定される。ダイヤル６０に力が加えられてダイヤル６０が回転するとき、保持ばね１００が変形して、頂部１０１が嵌め込まれている凹部６６Ａから外れる。そして、嵌め込まれていた凹部６６Ａと隣り合う凹部６６Ａが頂部１０１と対向する位置に移動したとき、頂部１０１がこの凹部６６Ａに嵌りこむ。このように、案内溝６１とボス７１との相対的な位置、すなわち、ダイヤル６０の回転位置は、凹部６６Ａと保持ばね１００との嵌め合いにより、複数の固定位置Ｐを有し、段階的に変化する。保持部６６および保持ばね１００により、保持機構が構成されている。
【００４３】
固定位置Ｐは、ダイヤル６０の時計回りの回転方向における回転位置の限界である第１の限界固定位置ＰＴ１から、反時計回りの回転方向における回転位置の限界である第２の限界固定位置ＰＴ２までの間で変化する。ダイヤル６０の時計回りの回転方向は、バリカン１の刈り高さを高くする方向であり、反時計回りの回転方向は、バリカン１の刈り高さを低くする方向である。
【００４４】
第１の限界固定位置ＰＴ１と第２の限界固定位置ＰＴ２との間には、３つの中間固定位置ＰＭが存在している。３つの中間固定位置ＰＭは、第１の中間固定位置ＰＭ１、第２の中間固定位置ＰＭ２、および、第３の中間固定位置を含む。第１の中間固定位置ＰＭ１は、第１の限界固定位置ＰＴ１と隣り合う。第２の中間固定位置ＰＭ２は、第２の限界固定位置ＰＴ２と隣り合う。第３の中間固定位置ＰＭ３は、第１の中間固定位置ＰＭ１と第２の中間固定位置ＰＭ２との間に位置する。各固定位置Ｐは、複数の凹部６６Ａのうちの１つの凹部６６Ａに頂部１０１が嵌め込まれるダイヤル６０の回転位置と対応している。
【００４５】
図５に示されるように、リンク７０の他端は、ボディー１０に回転可能に支持されている連結レバー８０の軸８２に取り付けられている。リンク７０は、ボス７１が案内溝６１により案内されることにより、ボディー１０に対してボディー１０の長手方向にスライドする。また、リンク７０の他端には、リンク７０に対してボディー１０に近づく側の力を与える第２のばね９０が取り付けられている。
【００４６】
連結レバー８０の軸８２は、ボディー１０の短手方向に延びている。軸８２の両端部には、腕８１が形成されている。腕８１は、刃レバー２６の腕２６Ａに接触している。連結レバー８０は、リンク７０がボディー１０に対してボディー１０の長手方向にスライドするとき、ボディー１０に対して回転する。具体的には、連結レバー８０は、刃レバー２６を介してスライダー２４から受ける力と、リンク７０から受ける力との関係に応じてボディー１０に対して回転する。
【００４７】
固定位置Ｐが第１の限界固定位置ＰＴ１にあるとき、刃レバー２６に刃ブロック２０の外部から力が付与されていない。このとき、刃レバー２６の回転は支持部２３の回転規制部２３Ｂにより規制される。このとき、可動刃２２は最もボディー１０側に位置する。このとき、可動刃２２の先端と固定刃２１の先端が最も離れ、毛の刈り高さは最も高くなる。なお、第１の限界固定位置ＰＴ１は、連結レバー８０がボディー１０と接触することによる連結レバー８０の回転の限界固定位置により規定されている。
【００４８】
固定位置Ｐが第２の限界固定位置ＰＴ２にあるとき、刃レバー２６に刃ブロック２０の外部から力が付与されたとき、刃レバー２６の回転が大きくなる。最も大きな力がかけられたとき、可動刃２２は最もボディー１０から離れた側に位置する。このとき、可動刃２２の先端と固定刃２１の先端が最も近づき、毛の刈り高さは最も低くなる。なお、第２の限界固定位置ＰＴ２は、リンク７０がボディー１０と接触することによるリンク７０のスライドの限界固定位置により規定されている。
【００４９】
図５〜図１０を参照して、ダイヤル６０が回転するときの刈高調整機構５０の動作について説明する。
図５に示されるように、固定位置Ｐが第１の限界固定位置ＰＴ１にあるとき、図６に示されるように、リンク７０が最もスライダー２４側に位置している。このとき、連結レバー８０の腕８１は、刃レバー２６の腕２６Ａと接触している。このとき、可動刃２２は、最もボディー１０側に位置している。また、このとき、図５に示されるように、第２のばね９０が最も縮んでいる。このため、第２のばね９０からボス７１に与えられる力は、最も大きくなる。
【００５０】
図７に示されるように、ダイヤル６０が反時計回りに操作されて固定位置Ｐが第１の限界固定位置ＰＴ１側から第３の中間固定位置ＰＭ３に変化したとき、図８に示されるように、リンク７０が第１のばね２７の力に抗して、ボディー１０側に引かれる。このとき、連結レバー８０の軸８２がボディー１０側に引かれ、腕８１が、刃レバー２６の腕２６Ａをボディー１０から離れる側に押す。これにより、可動刃２２がスライダー２４に押されて可動刃２２が図６のときよりもボディー１０から離れる側に移動する。また、このとき、図７に示されるように、第２のばね９０は、図５に示されるときよりも伸びている。このため、第２のばね９０からボス７１に与えられる力は、固定位置Ｐが第１の限界固定位置ＰＴ１および第１の中間固定位置ＰＭ１にあるときよりも小さくなる。
【００５１】
図９に示されるように、ダイヤル６０が反時計回りに操作されて固定位置Ｐが第３の中間固定位置ＰＭ３側から第２の限界固定位置ＰＴ２に変化したとき、図１０に示されるように、リンク７０が第１のばね２７の力に抗して、ボディー１０側に引かれる。このとき、連結レバー８０の軸８２がボディー１０側に引かれ、腕８１が、刃レバー２６の腕２６Ａをボディー１０から離れる側に押す。これにより、可動刃２２がスライダー２４に押されて可動刃２２が図８のときよりもボディー１０から離れる側に移動する。また、このとき、図９に示されるように、第２のばね９０は、図７に示されるときよりも伸びている。このため、第２のばね９０からボス７１に与えられる力は、固定位置Ｐが中間固定位置ＰＭにあるときよりも小さくなる。
【００５２】
ダイヤル６０が時計回りに操作されて固定位置Ｐが第２の限界固定位置ＰＴ２側から第３の中間固定位置ＰＭ３に変化したとき、図７に示されるように、リンク７０が第２のばね９０の力に抗して、ボディー１０から離れる側に移動する。このとき、刃レバー２６の腕２６Ａを介して第１のばね２７の力により腕８１がボディー１０から離れる側に押される。これにより、可動刃２２がスライダー２４に引かれて可動刃２２が図１０のときよりもボディー１０側に移動する。
【００５３】
ダイヤル６０が時計回りに操作されて固定位置Ｐが第３の中間固定位置ＰＭ３側から第１の限界固定位置ＰＴ１に変化したとき、図５に示されるように、リンク７０が第２のばね９０の力に抗して、ボディー１０から離れる側に移動する。このとき、刃レバー２６の腕２６Ａを介して第１のばね２７の力により腕８１がボディー１０から離れる側に押される。これにより、可動刃２２がスライダー２４に引かれて可動刃２２が図８のときよりもボディー１０側に移動する。
【００５４】
図１１を参照して、各固定位置Ｐにおける案内溝６１とボス７１との関係について説明する。
固定位置Ｐが、第１の限界固定位置ＰＴ１にあるとき、第１のばね２７からボス７１に与えられる力が、第２のばね９０からボス７１に与えられる力を上回り、ボス７１が第１の限界固定位置ＰＴ１と対応する第１の支持面６３に押し付けられている。このとき、ボス７１が第１の支持面６３に与える力の方向が第１の支持面６３と直交している。
【００５５】
固定位置Ｐが第１の中間固定位置ＰＭ１にあるとき、第１のばね２７からボス７１に与えられる力が、第２のばね９０からボス７１に与えられる力を上回り、ボス７１が第１の中間固定位置ＰＭ１と対応する第１の支持面６３に押し付けられている。このとき、ボス７１が第１の支持面６３に与える力の方向が第１の支持面６３と直交している。
【００５６】
固定位置Ｐが、第２の限界固定位置ＰＴ２にあるとき、第２のばね９０からボス７１に与えられる力が、第１のばね２７からボス７１に与えられる力を上回り、ボス７１が第２の限界固定位置ＰＴ２と対応する第２の支持面６５に押し付けられている。このとき、ボス７１が第２の支持面６５に与える力の方向が第２の支持面６５と直交している。
【００５７】
固定位置Ｐが、第２の中間固定位置ＰＭ２にあるとき、第２のばね９０からボス７１に与えられる力が、第１のばね２７からボス７１に与えられる力を上回り、ボス７１が第２の中間固定位置ＰＭ２と対応する第２の支持面６５に押し付けられている。このとき、ボス７１が第２の支持面６５に与える力の方向が第２の支持面６５と直交している。
【００５８】
固定位置Ｐが、第３の中間固定位置ＰＭ３にあるとき、第１のばね２７からボス７１に与えられる力と、第２のばね９０からボス７１に与えられる力とが釣り合っている。すなわち、固定位置Ｐが第２の中間固定位置ＰＭ２から第１の中間固定位置ＰＭ１に変更される過程、および、第１の中間固定位置ＰＭ１から第２の中間固定位置ＰＭ２に変更される過程において、第１のばね２７からボス７１に与えられる力および第２のばね９０からボス７１に与えられる力の大小関係が反転する。
【００５９】
図１２を参照して、バリカン１の作用について説明する。
図１２の破線は、第２のばね９０を有しない第１の比較例のバリカンにおけるユーザーがダイヤル６０を回転させる力（以下、「ダイヤル操作力」）を示している。図１２の破線（○のマーカー）で示されるように、固定位置Ｐを第１の限界固定位置ＰＴ１から第３の中間固定位置ＰＭ３を経て第２の限界固定位置ＰＴ２に変更するとき、ダイヤル操作力は略一定の高い値を示す。他方、図１２の破線（△のマーカー）で示されるように、固定位置Ｐを第２の限界固定位置ＰＴ２から第３の中間固定位置ＰＭ３を経て第１の限界固定位置ＰＴ１に変更するとき、ダイヤル操作力は略一定の低い値を示す。
【００６０】
このように、第１の比較例のバリカンのダイヤル操作力は、固定位置Ｐを第１の限界固定位置ＰＴ１から第２の限界固定位置ＰＴ２側に変更するときと、第２の限界固定位置ＰＴ２側から第１の限界固定位置ＰＴ１に変更するときとで大きな差が生じている。このため、ユーザーが固定位置Ｐを第２の限界固定位置ＰＴ２側に変更するときの負荷が、第１の限界固定位置ＰＴ１に変更するときの負荷よりも大きいといった違和感を覚えやすい。
【００６１】
図１２の二点鎖線は、第２のばね９０からボス７１に与えられる力が常に第１のばね２７からボス７１に与えられる力を下回る第２の比較例のバリカンにおけるダイヤル操作力を示している。図１２の二点鎖線（○のマーカー）で示されるように、固定位置Ｐを第１の限界固定位置ＰＴ１から第３の中間固定位置ＰＭ３を経て第２の限界固定位置ＰＴ２に変更するとき、ダイヤル操作力は第２の限界固定位置ＰＴ２に向かうにつれて微減する。他方、図１２の二点鎖線（△のマーカー）で示されるように、固定位置Ｐを第２の限界固定位置ＰＴ２から第３の中間固定位置ＰＭ３を経て第１の限界固定位置ＰＴ１に変更するとき、ダイヤル操作力は微減する。かつ、このとき、常に固定位置Ｐを第１の限界固定位置ＰＴ１から第３の中間固定位置ＰＭ３を経て第２の限界固定位置ＰＴ２に変更するときよりも低い値を示す。
【００６２】
このように、第２の比較例のバリカンのダイヤル操作力は、固定位置Ｐを第１の限界固定位置ＰＴ１から第２の限界固定位置ＰＴ２側に変更するときと、第２の限界固定位置ＰＴ２側から第１の限界固定位置ＰＴ１に変更するときとで大きな差が生じている。このため、ユーザーが固定位置Ｐを第２の限界固定位置ＰＴ２側に変更するときの負荷が、第１の限界固定位置ＰＴ１に変更するときの負荷よりも大きいといった違和感を覚えやすい。
【００６３】
図１２の実線は、バリカン１のダイヤル操作力を示している。図１２の実線（○のマーカー）で示されるように、固定位置Ｐを第１の限界固定位置ＰＴ１から第３の中間固定位置ＰＭ３を経て第２の限界固定位置ＰＴ２に変更するとき、ダイヤル操作力は第２の限界固定位置ＰＴ２に向かうにつれて減少する。他方、図１２の実線（△のマーカー）で示されるように、固定位置Ｐを第２の限界固定位置ＰＴ２から第３の中間固定位置ＰＭ３を経て第１の限界固定位置ＰＴ１に変更するとき、ダイヤル操作力は減少する。そして、第３の中間固定位置ＰＭ３において、図１２の実線（○のマーカー）、および、実線（△のマーカー）は、交差している。すなわち、第３の中間固定位置ＰＭ３において、第１のばね２７からボス７１に付与される力と、第２のばね９０からボス７１に付与される力とが釣り合っている。また、図１２の実線（○のマーカー）の増加量と、実線（△のマーカー）の増加量とは略等しい。
【００６４】
このように、バリカン１の固定位置Ｐを第１の限界固定位置ＰＴ１から第２の限界固定位置ＰＴ２側に変更するときと、第２の限界固定位置ＰＴ２側から第１の限界固定位置ＰＴ１に変更するときの操作力は、グラフ上において左右対称の形状を有している。このため、バリカン１は、第１の比較例および第２の比較例と比較して、ユーザーが固定位置Ｐを第２の限界固定位置ＰＴ２側に変更するときと、第１の限界固定位置ＰＴ１に変更するときとで、一方に回転させるときの負荷が他方に回転させるときの負荷よりも大きいといった違和感を覚えにくい。
【００６５】
また、バリカン１の固定位置Ｐを第１の限界固定位置ＰＴ１から第２の限界固定位置ＰＴ２側に変更するときのダイヤル操作力は、第１の比較例および第２の比較例の同ダイヤル操作力に対して小さい。このため、バリカン１の固定位置Ｐを第１の限界固定位置ＰＴ１から第２の限界固定位置ＰＴ２側に変更するときにダイヤル６０に大きな反力が生じることを抑制できる。
【００６６】
バリカン１は、以下の効果を奏する。
（１）バリカン１は、案内溝６１とボス７１との相対的な位置の変化にともない第１のばね２７からボス７１に与えられる力と第２のばね９０からボス７１に与えられる力との大小関係が入れ替わる。このため、ユーザーが案内溝６１とボス７１との相対的な位置を一方から他方に変更するときのダイヤル６０の操作力と、案内溝６１とボス７１との相対的な位置を他方から一方に変更するときのダイヤル６０の操作力との差が小さくなる。このため、ユーザーが快適にダイヤル６０を操作することができる。また、第２のばね９０の力により、ダイヤル６０に大きな反力が作用することを抑制できる。このため、ユーザーがダイヤル６０を反時計回りに回転させるときに負担を感じるおそれを低減できる。このため、ユーザーの違和感が低減できる。
【００６７】
（２）バリカン１は、案内溝６１が渦巻き形状であるため、案内溝６１が直線形状を有する場合と比較して、可動刃２２の固定刃２１に対するスライドの変化量を大きくすることができる。このため、刈り高さの変化量を大きくすることができる。
【００６８】
（３）ボス７１が第１の側面６２と第２の側面６４との間に位置するとき、ボス７１が振動等により第１の側面６２と第２の側面６４との間で移動しやすくなる。このため、可動刃２２の固定刃２１に対するボディー１０の長手方向の位置が変動し、刈り高さが不安定になるおそれがある。バリカン１は、ボス７１が第１の側面６２または第２の側面６４に押し付けられるため、ボス７１が第１の側面６２と第２の側面６４との間で移動することを抑制することができる。このため、刈り高さを安定させることができる。
【００６９】
また、ボス７１が押し付けられる第１の側面６２または第２の側面６４を基準にして可動刃２２の固定刃２１に対するボディー１０の長手方向へのスライド位置を設定することにより、刈り高さを精度よく調整できる。
【００７０】
（４）第１のばね２７からボス７１に与えられる力と第２のばね９０からボス７１に与えられる力とが釣り合うとき、ボス７１が第１の側面６２と第２の側面６４との間で移動しやすくなる。このため、可動刃２２の固定刃２１に対するボディー１０の長手方向の位置が変動し、刈り高さが不安定になるおそれがある。バリカン１は、ボス７１と第１の側面６２との間、および、ボス７１と第２の側面６４との間のそれぞれに実質的にクリアランスが形成されないため、ボス７１が第１の側面６２と第２の側面６４との間で移動することを抑制することができる。このため、第１のばね２７からボス７１に与えられる力と第２のばね９０からボス７１に与えられる力とが釣り合うときについても、刈り高さを安定させることができる。
【００７１】
（５）バリカン１は、ボス７１が第１の支持面６３に与える力の方向が第１の支持面６３と直交しているため、ボス７１と第１の支持面６３とに滑りが生じにくい。このため、ボス７１と案内溝６１との相対的な位置を適切な位置に保持することができる。
【００７２】
（６）バリカン１は、ボス７１が第２の支持面６５に与える力の方向が第２の支持面６５と直交しているため、ボス７１と第２の支持面６５とに滑りが生じにくい。このため、ボス７１と案内溝６１との相対的な位置を適切な位置に保持することができる。
【００７３】
（変形例）
本バリカンが取り得る具体的な形態は、上記実施形態に例示された形態に限定されない。本バリカンは、本発明の目的が達成される範囲において、上記実施形態とは異なる各種の形態を取り得る。以下に示される上記実施形態の変形例は、本バリカンが取り得る各種の形態の一例である。
【００７４】
・第１のばね２７からボス７１に与えられる力と第２のばね９０からボス７１に与えられる力とが、第１の中間固定位置ＰＭ１、第２の中間固定位置ＰＭ２、または、隣り合う２つの固定位置Ｐの間において釣り合うようにすることもできる。
【００７５】
・案内溝６１の幅を、第３の中間固定位置ＰＭ３と対応する部分のボス７１と第１の側面６２との間、および、ボス７１と第２の側面６４との間に実質的にクリアランスが生じるようにすることもできる。
【００７６】
・案内溝６１の幅を、第３の中間固定位置ＰＭ３と対応する部分のボス７１と第１の側面６２との間、および、ボス７１と第２の側面６４との間に実質的にクリアランスが生じないようにし、他の部分は実質的にクリアランスが生じるようにすることもできる。この場合も、第１のばね２７からボス７１に付与される力と、第２のばね９０からボス７１に付与される力が釣り合う第３の中間固定位置ＰＭ３においては、ボス７１の移動が抑制される。このため、刈り高さが不安定になることを抑制できる。
【００７７】
・第１の支持面６３をボス７１から作用する力の方向に対して傾斜させることもできる。
・第２の支持面６５をボス７１から作用する力の方向に対して傾斜させることもできる。
【００７８】
・案内溝６１を短手方向に対して傾斜する直線状、または、階段状の溝に変更することもできる。この場合、ダイヤル６０に代えて、案内溝６１の延びる方向にスライドするスライド式の操作部を採用することができる。また、ダイヤル６０に代えて、操作部としてのレバーを採用することもできる。リンク７０と連結されるレバーが溝の延びる方向に移動することにより、スライド機構を介して可動刃２２が固定刃２１に対してボディー１０の長手方向に変化し、刈り高さが変更できる。
【００７９】
・ダイヤル６０を時計回りに回したとき、刈り高さを低くし、反時計回りに回したとき、刈り高さを高くする構成に変更することもできる。
・１、２、または、４つ以上の中間固定位置ＰＭを備えることもできる。
【００８０】
・中間固定位置ＰＭを省略することもできる。この場合、刈り高さは、２段階に変化させることができる。
・保持機構を省略することもできる。
【００８１】
・刃レバー２６を省略し、連結レバー８０に第１のばね２７が取り付けられるようにすることもできる。要するに、リンク７０のボディー１０の長手方向の移動により可動刃２２を固定刃２１に対してボディー１０の長手方向に移動させられるスライド機構であれば、いずれの構成を採用することもできる。
【符号の説明】
【００８２】
１…バリカン、１０…ボディー、２１…固定刃、２２…可動刃、２４…スライダー、２６…刃レバー、２６Ａ…腕、２６Ｂ…軸、２７…第１のばね、６０…ダイヤル（操作部）、６１…案内溝、６２…第１の側面、６３…第１の支持面、６４…第２の側面、６５…第２の支持面、６６…保持部（保持機構）、７０…リンク、７１…ボス、８０…連結レバー、８１…腕、８２…軸、９０…第２のばね、１００…保持ばね（保持機構）。
【図１】
2015195869.tif 000003
【図２】
2015195869.tif 000004
【図３】
2015195869.tif 000005
【図４】
2015195869.tif 000006
【図５】
2015195869.tif 000007
【図６】
2015195869.tif 000008
【図７】
2015195869.tif 000009
【図８】
2015195869.tif 000010
【図９】
2015195869.tif 000011
【図１０】
2015195869.tif 000012
【図１１】
2015195869.tif 000013
【図１２】
2015195869.tif 000014